(57)【要約】      （修正有）【課題】開閉シャッターや光電センサを用いずに、トラフ先端部から物品を１個ずつ排出することのできる新たな供給トラフと、それを使用した組合せ計量機とを提供する。【解決手段】楕円体状の物品Ｍを溝に沿って整列させながら溝の先端部から１個ずつ物品Ｍを排出する供給トラフ１であって、底面３と、底面３からＶ字状に広がる傾斜した両側面４、４とを有し、底面３の横幅が物品Ｍの横幅と略同じ長さにされ、底面３の先端部が前方に突出する突出部３１を有して、その突出部３１が物品の２個同時排出を防止する。【選択図】図１
0003185732.tif 000002
【実用新案登録請求の範囲】
【請求項１】
楕円体をした一定の形状を有する複数の物品を溝に沿って整列させながら前記溝の先端部から１個ずつ前記物品を排出する供給トラフであって、前記溝が搬送方向に沿って延びる底面と、該底面を挟んでＶ字状に広がる両側面とを有し、前記両側面が前記物品を前記底面側へ滑落させる傾斜面とされ、前記底面の搬送方向と直交する方向の横幅が前記物品の短寸の横幅と略同じ長さに設定され、前記底面の先端部が前記両側面の先端部より前方に突出する突出部を有し、その突出長さが前記側面と前記底面とに支持されて２列並走状態で搬送される２つの物品の内、一方の物品が前記突出部から落下した場合でも、他方の物品が前記突出部上に残る長さに設定されていることを特徴とする供給トラフ。
【請求項２】
請求項１に記載の複数の供給トラフを装置中央上部の分散フィーダの周囲に放射状に配列して、各供給トラフから下段の対応する各計量ホッパに物品を１個ずつ供給するようにした組合せ計量機。
【考案の詳細な説明】
【技術分野】
【０００１】
本考案は、食品等の物品を一定重量に自動計量する組合せ計量機に使用される供給トラフに関し、特に物品を１個ずつ排出することのできる供給トラフとそれを使用した組合せ計量機に関する。
【背景技術】
【０００２】
周知のように、組合せ計量機は、単体重量の異なる物品を一定重量に組合せ計量する自動計量機として種々の分野で使用されている。その中でも食品分野では、物品の形状や性状に応じた種々の供給トラフが開発され、実用化されてきている。
例えば、下記特許文献１では、転がり易い物品に対し、供給トラフの横断面形状をＶ字状にすることにより、トラフ先端部において、物品が粗密にならないようにしている。また、下記特許文献２では、トラフの横断面を半円形やＵ字形に形成し、その先端部に開閉ゲート（シャッター）を設けて物品を整列させながらトラフ先端部から物品を１個ずつ排出するようにしている。
【先行技術文献】
【特許文献】
【０００３】
【特許文献１】実公平１−９７７９号公報
【特許文献２】実用新案登録第２５８２１９６号（実開平６−７２８０９号公報）
【考案の概要】
【考案が解決しようとする課題】
【０００４】
しかし、物品を１個ずつ排出するために、トラフ先端部に開閉ゲートを設けたのでは、装置が複雑化し、コストアップになり、また、日々の清掃作業が煩雑になるという問題がある。さらに、物品が開閉ゲートとトラフとの間に挟み込まれると、物品が損傷を受け、それが袋詰め商品となって市場に出回ると、メーカにとっては、信用失墜につながる重大な問題となる。
さりとて、開閉ゲートに替えてトラフ先端部に光電センサを設け、その信号によって１個ずつの排出制御を行ったとしても、装置の複雑化とコストアップの問題は解消しない。
本考案は、こうした問題に鑑みて開発したもので、開閉シャッターや光電センサを用いずに、トラフ先端部から物品を１個ずつ排出することのできる新たな供給トラフと、それを使用した組合せ計量機を提供することを課題とする。
【課題を解決するための手段】
【０００５】
本考案に係る供給トラフは、楕円体をした一定の形状を有する複数の物品を溝に沿って整列させながら前記溝の先端部から１個ずつ前記物品を排出する供給トラフであって、前記溝が搬送方向に沿って延びる底面と、該底面を挟んでＶ字状に広がる両側面とを有し、前記両側面が前記物品を前記底面側へ滑落させる傾斜面とされ、前記底面の搬送方向と直交する方向の横幅が前記物品の短寸の横幅と略同じ長さに設定され、前記底面の先端部が前記両側面の先端部より前方に突出する突出部を有し、その突出長さが前記側面と前記底面とに支持されて２列並走状態で搬送される２つの物品の内、一方の物品が前記突出部から落下した場合でも、他方の物品が前記突出部上に残る長さに設定されていることを特徴とする。
【０００６】
図１は、本考案の解決原理を説明するための、本考案の供給トラフの一実施形態に係る外観斜視図を示し、図２は、その供給トラフを前方から見た正面図を示す。これらの図において、供給トラフ１は、楕円体をした一定の形状を有する複数の物品Ｍ、具体的には、大粒の甘納豆等を供給トラフ１の溝２に集めながら矢印方向Aに搬送するもので、図示しない電磁フィーダに取り付けられて、供給トラフ１全体が矢印方向Ａに振動することで、物品Ｍを溝２内で縦列に整列させながら、先端部から１個ずつ物品Ｍを排出するように構成されている。前記溝２は、矢印方向Ａに沿って延びる底面３と、該底面３の両サイドからＶ字状に広がる両側面４、４とを有している。この両側面４、４には、その上に供給された物品Mが振動によって底面３側へ滑落するだけの傾斜が設けられている。また、図２に示すように、底面３の横幅Wは、物品Mの横幅Ｗｍと略同じ長さに設定され、その底面３の先端部には、両側面４、４の先端部４１、４１より前方に突出する突出部３１が設けられ、その突出部３１の突出長さがそこに物品Ｍが１個残る程度の長さに設定されている。
【０００７】
こうした構造の供給トラフ１の上流側に楕円体をした複数の物品M（大粒の甘納豆）が供給されると、折り重なった物品Ｍは、矢印方向Ａに搬送されながら傾斜する両側面４、４から底面３側へと順次移動して先端部へと縦列になって搬送されていく。その際、物品Ｍの供給量が適正であれば、物品Ｍは、略一列縦隊となって底面３上を進行するが、供給量が多ければ、２列あるいはその上にもう１列乗った状態のまま底面３の突出部３１へ運ばれていく。その際、突出部３１がなければ、並走してきた２列の物品Ｍは、図２のように底面３と側面４とに接して、互いに押し合っている状態にあるから、一方の物品Ｍ１が落下すると、他方の物品Ｍ２もそれに引きずられて共に落下してしまう。しかし、突出部３１が設けられていると、一方の物品Ｍ１が突出部３１から落下しても、それと押し合っていた他方の物品Ｍ２は、突出部３１の中央側へ移動するから、他方の物品Ｍは、突出部３１上に留まる。そのため、この考案では、底面３の突出部３１の突出長さを、２列並走状態で搬送される２つの物品の内、一方の物品Ｍ１が突出部３１から落下した場合でも、他方の物品Ｍ２がその突出部３１上に残る長さとしている。具体的には、物品Ｍの長手方向の平均的長さが２５mmから３０mm程度である場合は、突出部３１の長さを１０mm程度としている。
【考案の効果】
【０００８】
本考案によれば、開閉シャッターを用いなくても、トラフの先端から確実に１個ないし２個の物品を排出することができるから、装置構成の複雑化を解消して安価なトラフを提供することができる。また、開閉シャッターを使用しないために、物品を損傷させないから、メーカの信用を損なわせることもない。さらには、装置構成が単純になるから、清掃性にも優れたトラフを提供することができる。
【図面の簡単な説明】
【０００９】
【図１】本考案の解決原理を説明する一実施形態に係る供給トラフの外観斜視図。
【図２】前記供給トラフの正面図。
【図３】前記供給トラフの左側面断面図。
【図４】前記供給トラフの右側面図。
【図５】前記供給トラフを搭載した組合せ計量機の外観斜視図。
【考案を実施するための形態】
【００１０】
以下、本考案の一実施形態について図面を参照しながら説明する。
【００１１】
図１〜図４において、供給トラフ１は、ステンレス板を折り曲げて成形されるもので、底面３と、その底面３からＶ字状に広がる傾斜した両側面４、４とを有している。この両側面４、４の傾斜度は、物品Ｍの性状によって異なるけれども、少なくともその上に載った物品Mが振動によって確実に底面３側へ滑落する角度に設定される。また、供給トラフ１の裏面には、横断面がU字状のステンレス板からなる支持具５が溶接され、その支持具５の下面には、長円形のステンレス板からなるアダプター６が溶接されている。
【００１２】
前記底面３の後端部３２は、平面視が三角形に形成され、そこに供給された物品Mを矢印方向Ａ（前方）へ移動させるように下り傾斜となっている。また、底面３の両サイドから立ち上がる両側面４、４は、後端から前方へ進むに連れて漸次広がる形状とされている。これは、図５に示すように、供給トラフ１を中央の分散フィーダＤＦの周りに放射状に一定ピッチで配列するためである。そのため、一方の側面４の上端縁には、隣接する供給トラフ１の他方の側面４に被さる張り出し部４２が形成され、これによって隣接する供給トラフ１と供給トラフ１との間から物品Ｍが落下しないようになっている。なお、張り出し部４２に乗った物品Ｍは、隣接するどちらかの供給トラフ１の溝２に落ちるが、落ちずに張り出し部４２上を前進した物品Ｍは、その先端部の折り返し４３によって、溝２側に案内されるようになっている。
【００１３】
支持具５の後部には、側面４、４の後端部を補強する補強板５１、５１が設けられ、それらの補強板５１、５１が側面４、４の裏面と溶接されている。また、両側面４、４と底面３の先端部裏面にも、その裏面に密着する補強板５２が溶接されている。
【００１４】
長円形のアダプター６は、図示しない電磁フィーダの振動部に取り付けられた長円形のアタッチメント６１（図４参照）の上に載置され、その状態で上下に重なったフランジ部６２を図示しない巻き締めリングで締め付けて電磁フィーダに固定するようになっているが、その構造は、周知であるため、ここでの説明は省略している。
【００１５】
図５は、供給トラフ１を組み込んだ組合せ計量機１０の外観斜視図を示す。この図において、装置中央上部には、円錐体状の分散フィーダＤＦが配置され、そのフィーダＤＦの周縁下方に各供給トラフ１の後端を潜り込ませた状態で、各供給トラフ１が分散フィーダＤＦの周りに放射状に配列されている。また、各供給トラフ１の先端下方には、プールホッパＰＨがそれぞれ配置され、その下段には、各プールホッパＰＨに対応させて計量ホッパＷＨがそれぞれ配置されている。さらに、その下段には、各計量ホッパＷＨから排出された物品を一箇所に集合させる集合シュートＳが配置されている、
【００１６】
そして、図示しないクロスフィーダによって分散フィーダＤＦ上に供給された大量の物品Ｍは、分散フィーダＤＦの間歇的な振動によって円周方向に分散されながら各供給トラフ１に供給されていく。供給トラフ１に供給された物品Ｍは、供給トラフ１の間歇的な振動により、供給トラフ１の底面３側へと送られながら１列縦隊に整列して底面３の先端部へと搬送されていく。そして、組合せ計量が開始され、計量ホッパＷＨの開閉に続いてプールホッパＰＨが開閉すると、空になったプールホッパＰＨに対応する供給トラフ１が所定時間、所定強度で振動して、物品Ｍを１個ずつプールホッパＰＨに排出していく。その際、供給トラフ１の振動時間、振動強度が強すぎると、一度に複数個の物品ＭがプールホッパＰＨに供給されてしまうので、初期設定において、毎回１個の物品Ｍだけが排出されるように、供給トラフ１の振動時間と振動強度を設定しておく。そして、運転開始後は、各計量ホッパＷＨに供給された物品Ｍの重量に基づいて、対応する供給トラフ１の振動時間と振動強度が自動調整されて、１個投入が維持されるようになっている。
これにより、組合せ計量機１０は、各計量ホッパＷＨに供給された少なくとも１個の物品重量に基づいて組合せ計量を実行し、目標重量に最も近い最適組合せの物品が選択されると、該当する計量ホッパＷＨから物品が排出されて、所定重量範囲の物品の集合体が得られる。
【００１７】
以上、この考案の一実施形態を説明したが、この考案は、これに限定されるものではなく、実用新案登録請求の範囲内において、他の実施形態も採用可能である。例えば、この実施形態では、供給トラフ１を支持具５を介して長円形のアダプター６に取り付けたが、供給トラフ１を直接アダプター６に取り付けてもよい。また、アダプター６を長円形にすることによって隣接する供給トラフ１のアダプター６と干渉しないようにしているが、このアダプター６を円盤状に変えても良い。また、この実施形態では、張り出し部４２を水平にしているが、これに替えて、山形の張り出し部としても良い。
【符号の説明】
【００１８】
１    供給トラフ
２    溝
３    底面
４    側面
１０    組合せ計量機
３１    突出部
Ａ    矢印方向（搬送方向）
Ｍ    物品
Ｗ    底面の横幅
Ｗｍ    物品の横幅
ＤＦ    分散フィーダ
ＰＨ    プールホッパ
ＷＨ    計量ホッパ
【図１】
0003185732.tif 000003
【図２】
0003185732.tif 000004
【図３】
0003185732.tif 000005
【図４】
0003185732.tif 000006
【図５】
0003185732.tif 000007